(57)【要約】【課題】マクロセルとスモールセルとが重複して配置される無線通信システムにおいて、ユーザ端末にスモールセルを積極的に選択させる。【解決手段】本発明のセル選択方法は、マクロセルを形成するマクロ基地局（Ｍ）において、スモールセルにおける第２キャリアを用いた送信特性情報に基づいて、ユーザ端末（ＵＥ）におけるセル選択に用いられるオフセット値を決定する工程と、ユーザ端末（ＵＥ）に対して、前記オフセット値を通知する工程と、を有する。また、ユーザ端末（ＵＥ）において、マクロ基地局（Ｍ）及びスモール基地局（Ｓ）からの参照信号の受信品質を測定する工程と、マクロ基地局（Ｍ）から通知されるオフセット値を受信する工程と、測定された前記受信品質と受信された前記オフセット値とに基づいて、セル選択を行う工程と、を有する。【選択図】図７
2014155093.tif 000002
【特許請求の範囲】
【請求項１】
第１キャリアが用いられる第１セルと前記第１キャリアよりも高い周波数帯の第２キャリアが用いられる第２セルとが重複して配置される無線通信システムにおいて、前記第１セルを形成する無線基地局であって、
前記第２セルにおける前記第２キャリアを用いた送信特性情報に基づいて、ユーザ端末におけるセル選択に用いられるオフセット値を決定する決定部と、
前記ユーザ端末に対して、前記オフセット値を通知する通知部と、
を具備することを特徴とする無線基地局。
【請求項２】
前記送信特性情報は、前記第２セルを形成する無線基地局に設けられる送信アンテナ素子数と、前記第２セルを形成する無線基地局で用いられる送信帯域幅と、前記第２セルを形成する無線基地局で用いられる送信ビームのビームフォーミングゲインと、の少なくとも一つを含むことを特徴とする請求項１に記載の無線基地局。
【請求項３】
前記決定部は、前記第２セルの隣接セルからの干渉情報に基づいて、前記オフセット値を決定することを特徴とする請求項１又は請求項２に記載の無線基地局。
【請求項４】
第１キャリアが用いられる第１セルと前記第１キャリアよりも高い周波数帯の第２キャリアが用いられる第２セルとが重複して配置される無線通信システムにおいて用いられるユーザ端末であって、
第１セルを形成する第１無線基地局及び前記第２セルを形成する第２無線基地局からの参照信号の受信品質を測定する測定部と、
前記第１無線基地局から通知されるオフセット値を受信する受信部と、
前記測定部によって測定された前記受信品質と前記受信部によって受信された前記オフセット値とに基づいて、セル選択を行うセル選択部と、を具備し、
前記オフセット値は、前記第２セルにおける前記第２キャリアを用いた送信特性情報に基づいて決定されることを特徴とするユーザ端末。
【請求項５】
前記送信特性情報は、前記第２無線基地局に設けられる送信アンテナ素子数と、前記第２無線基地局で用いられる送信帯域幅と、前記第２無線基地局で用いられる送信ビームのビームフォーミングゲインと、の少なくとも一つを含むことを特徴とする請求項４に記載のユーザ端末。
【請求項６】
前記セル選択部は、前記第２無線基地局からの参照信号の受信品質に対して前記オフセット値を付加することを特徴とする請求項４又は請求項５に記載のユーザ端末。
【請求項７】
前記セル選択部は、前記オフセット値が付加された最良の受信品質が所定の閾値を満たす場合、前記第２無線基地局からの参照信号の受信品質の比較結果に基づいて、前記第２セルを選択することを特徴とする請求項６に記載のユーザ端末。
【請求項８】
前記セル選択部は、前記オフセット値が付加された最良の受信品質が所定の閾値を満たさない場合、前記第２無線基地局からの参照信号の受信品質と前記第１無線基地局からの参照信号の受信品質との比較結果に基づいて、前記第１セル又は前記第２セルを選択することを特徴とする請求項６に記載のユーザ端末。
【請求項９】
第１キャリアが用いられる第１セルと前記第１キャリアよりも高い周波数帯の第２キャリアが用いられる第２セルとが重複して配置される無線通信システムにおけるセル選択方法であって、
前記第１セルを形成する第１無線基地局において、
前記第２セルにおける前記第２キャリアを用いた送信特性情報に基づいて、ユーザ端末におけるセル選択に用いられるオフセット値を決定する工程と、
前記ユーザ端末に対して、前記オフセット値を通知する工程と、
前記ユーザ端末において、
前記第１無線基地局及び前記第２セルを形成する第２無線基地局からの参照信号の受信品質を測定する工程と、
前記第１無線基地局から通知されるオフセット値を受信する工程と、
測定された前記受信品質と受信された前記オフセット値とに基づいて、セル選択を行う工程と、を有することを特徴とするセル選択方法。
【請求項１０】
第１キャリアが用いられる第１セルと前記第１キャリアよりも高い周波数帯の第２キャリアが用いられる第２セルとが重複して配置される無線通信システムであって、
前記第１セルを形成する第１無線基地局が、
前記第２セルにおける前記第２キャリアを用いた送信特性情報に基づいて、ユーザ端末におけるセル選択に用いられるオフセット値を決定する決定部と、
前記ユーザ端末に対して、前記オフセット値を通知部と、を具備し、
前記ユーザ端末が、
前記第１無線基地局及び前記第２セルを形成する第２無線基地局からの参照信号の受信品質を測定する測定部と、
前記第１無線基地局から通知されるオフセット値を受信する受信部と、
測定された前記受信品質と受信された前記オフセット値とに基づいて、セル選択を行うセル選択部と、を具備することを特徴とする無線通信システム。
【発明の詳細な説明】
【技術分野】
【０００１】
本発明は、マクロセルとスモールセルとが重複して配置される次世代移動通信システムにおける無線基地局、ユーザ端末、セル選択方法及び無線通信システムに関する。
【背景技術】
【０００２】
ロングタームエボリューション（ＬＴＥ）からのさらなる広帯域化及び高速化を目的として、ＬＴＥの後継システムが検討されてきた（例えば、ＬＴＥアドバンスト又はＬＴＥエンハンスメントと呼ぶこともある（以下、「ＬＴＥ−Ａ」という））。ＬＴＥ−Ａシステムでは、半径数キロメートル程度の広いカバレッジを有するマクロセル内に、半径数十メートル程度の局所的なカバレッジ有するスモールセル（例えば、ピコセル、フェムトセルなど）が形成される無線通信システム（ＨｅｔＮｅｔ（Heterogeneous  Network）ともいう）が検討されている（例えば、非特許文献１）。
【先行技術文献】
【非特許文献】
【０００３】
【非特許文献１】3GPP  TR  36.814“E-UTRA  Further  advancements  for  E-UTRA  physical  layer  aspects”
【発明の概要】
【発明が解決しようとする課題】
【０００４】
上述の無線通信システムでは、マクロセルにおいて相対的に低い周波数帯（例えば、２ＧＨｚ）の第１キャリアを用い、スモールセルにおいて相対的に高い周波数帯（例えば、３．５ＧＨｚ）の第２キャリアを用いることも検討されている。
【０００５】
スモールセルで高周波数帯の第２キャリアが用いられる場合、スモールセルのキャパシティは、マクロセルのキャパシティよりも高くなる。このため、伝送速度（スループット）を向上させるためには、ユーザ端末は、スモールセルにおいて通信を行うことが好ましい。
【０００６】
一方で、高周波数帯の第２キャリアのパスロスは、低周波数帯の第１キャリアのパスロスと比較して増加する。このため、ユーザ端末におけるセル選択において、スモールセルにおいて通信を行うことが好ましい場合であっても、高周波数帯の第２キャリアが用いられるスモールセルを選択できない恐れがあるという問題点があった。
【０００７】
本発明は、かかる点に鑑みてなされたものであり、マクロセルとスモールセルとが重複して配置される無線通信システムにおいて、ユーザ端末にスモールセルを積極的に選択させることが可能な無線基地局、ユーザ端末、セル選択方法及び無線通信システムを提供することを目的とする。
【課題を解決するための手段】
【０００８】
本発明のセル選択方法は、第１キャリアが用いられる第１セルと前記第１キャリアよりも高い周波数帯の第２キャリアが用いられる第２セルとが重複して配置される無線通信システムにおけるセル選択方法であって、前記第１セルを形成する第１無線基地局において、前記第２セルにおける前記第２キャリアを用いた送信特性情報に基づいて、ユーザ端末におけるセル選択に用いられるオフセット値を決定する工程と、前記ユーザ端末に対して、前記オフセット値を通知する工程と、前記ユーザ端末において、前記第１無線基地局及び前記第２セルを形成する第２無線基地局からの参照信号の受信品質を測定する工程と、前記第１無線基地局から通知されるオフセット値を受信する工程と、測定された前記受信品質と受信された前記オフセット値とに基づいて、セル選択を行う工程と、を有することを特徴とする。
【発明の効果】
【０００９】
本発明によれば、マクロセルとスモールセルとが重複して配置される無線通信システムにおいて、ユーザ端末にスモールセルを積極的に選択させることができる。
【図面の簡単な説明】
【００１０】
【図１】ＨｅｔＮｅｔの概念図である。
【図２】ＨｅｔＮｅｔで用いられるキャリアの一例の説明図である。
【図３】３次元／Ｍａｓｓｉｖｅ  ＭＩＭＯの説明図である。
【図４】周波数ｆとアンテナ素子数との関係（１次元）の説明図である。
【図５】周波数ｆとアンテナ素子数との関係（２次元）の説明図である。
【図６】３次元／Ｍａｓｓｉｖｅ  ＭＩＭＯを適用したビームフォーミングの説明図である。
【図７】本発明の第１態様に係るセル選択方法を示すシーケンス図である。
【図８】本発明の第１態様に係るセル選択方法を示すフローチャートである。
【図９】本発明の第２態様に係るセル選択方法の説明図である。
【図１０】本発明の第２態様に係るセル選択方法を示すシーケンス図である。
【図１１】本実施の形態に係る無線通信システムの一例を示す概略図である。
【図１２】本実施の形態に係る無線基地局の全体構成の説明図である。
【図１３】本実施の形態に係るユーザ端末の全体構成の説明図である。
【図１４】本実施の形態に係るマクロ基地局の機能構成の説明図である。
【図１５】本実施の形態に係るスモール基地局の機能構成の説明図である。
【図１６】本実施の形態に係るユーザ端末の機能構成の説明図である。
【発明を実施するための形態】
【００１１】
図１は、ＨｅｔＮｅｔの概念図である。図１に示すように、ＨｅｔＮｅｔは、マクロセルＭＣと地理的に重複するように多数のスモールセルＳＣが配置される無線通信システムである。ＨｅｔＮｅｔは、マクロセルＭＣを形成する無線基地局（以下、マクロ基地局という）Ｍ、各スモールセルＳＣを形成する無線基地局（以下、スモール基地局）Ｓ、マクロ基地局Ｍ及びスモール基地局Ｓの少なくとも一つと通信するユーザ端末ＵＥとを含む。
【００１２】
図１に示すＨｅｔＮｅｔでは、ユーザ端末ＵＥが、主に、マクロ基地局ＭとＣプレーンの通信を行い、スモール基地局ＳとＵプレーンの通信を行う方式（“Macro-assisted”方式）も検討されている。“Macro-assisted”方式では、スモールセルＳＣよりもカバレッジが大きいマクロセルＭＣにおいて、制御データやシステム情報が送受信される。一方、マクロセルＭＣよりも１セルあたりのユーザ数が少ないスモールセルＳＣにおいて、ユーザデータが送受信される。このため、システム全体におけるスループットを向上させることができる。
【００１３】
また、図１に示すＨｅｔＮｅｔでは、マクロセルＭＣにおいて相対的に低い周波数帯のキャリアＦ１を用いる一方、スモールＳにおいて相対的に高い周波数帯のキャリアＦ２を用いることも検討されている。図２を参照し、マクロセルＭＣで用いられるキャリアＦ１とスモールセルＳＣで用いられるキャリアＦ２の一例について、詳述する。
【００１４】
図２に示すように、キャリアＦ１としては、例えば、８００Ｈｚや２ＧＨｚなどの既存の周波数帯（Existing  cellular  bands）のキャリアを用いることができる。一方、キャリアＦ２としては、例えば、３．５ＧＨｚや１０ＧＨｚなど、既存の周波数帯よりも高い周波数帯（Higher  frequency  bands）のキャリアを用いることができる。
【００１５】
また、図２に示すように、キャリアＦ１の送信電力密度（Transmit  power  density））は、キャリアＦ２の送信電力密度より高いため、マクロセルＭＣのカバレッジはスモールセルＳＣよりも大きくなる。また、キャリアＦ２の帯域幅（bandwidth）は、キャリアＦ１の帯域幅よりも広いため、スモールセルＳＣの伝送速度（キャパシティ）はマクロセルＭＣよりも高くなる。
【００１６】
ところで、パスロス（path-loss）は、周波数ｆに比例して増加する。具体的には、パスロスは、およそ２０＊ｌｏｇ１０（ｆ）で示される。このため、３．５ＧＨｚや１０ＧＨｚなどの高周波数帯のキャリアＦ２が用いられるスモールセルＳＣにおいては、３次元（３Ｄ）／Ｍａｓｓｉｖｅ  ＭＩＭＯを用いることで、パスロスを補償することが検討されている。
【００１７】
図３は、３Ｄ／Ｍａｓｓｉｖｅ  ＭＩＭＯの説明図である。３Ｄ／Ｍａｓｓｉｖｅ  ＭＩＭＯを用いる場合、複数のアンテナ素子が２次元面に配置される。例えば、図３に示すように、２次元面における水平方向と垂直方向とで均等に、複数のアンテナ素子が配置されてもよい。かかる場合、２次元面に配置可能なアンテナ素子数は、理論上、周波数ｆの２乗に比例して増加する。
【００１８】
図４及び図５を参照し、周波数ｆとアンテナ素子数との関係を説明する。図４及び５は、周波数ｆとアンテナ素子数との関係を説明するための図である。
【００１９】
図４では、アンテナ素子が１次元で配列される場合を説明する。図４Ａに示すように、周波数ｆが２ＧＨｚである場合、アンテナ長Ｌに６個のアンテナ素子が配列されるとする。ここで、図４Ｂに示すように、周波数ｆが４ＧＨｚ（図４Ａの２倍）となると、同じアンテナ長Ｌに１２個（＝６×２）となる。このように、アンテナ素子が１次元で配置される場合、周波数ｆに比例して、アンテナ長Ｌで配置可能なアンテナ素子数が増加する。
【００２０】
また、図４Ｂのアンテナ素子数は、図４Ａのアンテナ素子数の２倍となる。このため、図４Ｂに示される１２個のアンテナ素子で形成される送信ビームのビームフォーミングゲインは、図４Ａの２倍の２Ｇとなる。このように、アンテナ素子が一次元で配置される場合、アンテナ素子数に比例して、ビームフォーミングゲインが増加する。
【００２１】
一方、図５では、アンテナ素子が２次元面に配置される場合（すなわち、３Ｄ／Ｍａｓｓｉｖｅ  ＭＩＭＯを適用する場合）を説明する。図５に示すように、周波数ｆが２．５ＧＨzである場合、所定の２次元面に１個のアンテナ素子が配置されるとする。上述のように、アンテナ素子数Ｔｘは、周波数ｆの２乗に比例する。このため、図５では、比例定数を１／２．５２＝０．１６として、Ｔｘ＝０．１６＊ｆ２の関係が成立する。
【００２２】
これにより、周波数ｆが３．５ＧＨｚとなると、同じ２次元面に配置可能なアンテナ素子数は、２（≒０．１６＊３．５２＝１．９６）となる。同様に、周波数ｆが５ＧＨｚ、１０ＧＨｚ、２０ＧＨｚ、となると、同じ２次元面に配置可能なアンテナ素子数は、それぞれ、４（＝０．１６＊５２）、１６（＝０．１６×１０２）、６４（＝０．１６＊２０２）となる。このように、アンテナ素子が２次元に配置される場合、周波数ｆの２乗に比例して、アンテナ長Ｌで配置可能なアンテナ素子数が増加する。
【００２３】
また、図５でも、アンテナ素子数の増加に応じて、ビームフォーミングゲインが増加する。
【００２４】
以上のように、高周波数帯のキャリアＦ２が用いられるスモールセルＳＣにおいて３Ｄ／Ｍａｓｓｉｖｅ  ＭＩＭＯを適用してビームフォーミングを行う場合、ビームフォーミングゲインにより、パスロスを補償することができる。
【００２５】
ところで、ユーザ端末ＵＥは、マクロ基地局Ｍやスモール基地局Ｓから送信される参照信号の受信品質（ＲＳＲＱ：Reference  Signal  Received  Quality、ＲＳＲＰ：Reference  Signal  Received  Powerなどを含む）を測定し、測定結果に基づいて、セル選択を行う。なお、セル選択とは、ユーザ端末ＵＥが通信を行うセル（無線基地局）を選択することである。
【００２６】
しかしながら、スモールセルＳＣにおいて３Ｄ／Ｍａｓｓｉｖｅ  ＭＩＭＯを適用してビームフォーミングを行う場合であっても、スモール基地局Ｓからの参照信号に対しては、ビームフォーミングが行われない。このため、ユーザ端末ＵＥが、スモール基地局Ｓからの参照信号を十分な受信品質で受信することができず、スモールセルＳＣを選択できないことが想定される。
【００２７】
例えば、図６に示すように、スモールセルＳＣで３Ｄ／Ｍａｓｓｉｖｅ  ＭＩＭＯを適用してビームフォーミングを行う場合、ビームフォーミングされていない信号のカバレッジＣは、ビームフォーミングされた信号のカバレッジＣ’よりも小さい。このため、カバレッジＣ’内に位置するユーザ端末ＵＥであっても、ビームフォーミングされない参照信号を十分な受信品質で受信することができない。この結果、ユーザ端末ＵＥは、ビームフォーミングゲインによりスモール基地局Ｓと通信可能な状態であっても、スモール基地局Ｓによって形成されるスモールセルＳＣを選択することができなくてマクロセルＭＣに接続されてしまう。
【００２８】
また、上述のように、キャリアＦ２が用いられるスモールセルＳＣでは、キャリアＦ１が用いられるマクロセルＭＣと比較して、信号の送信帯域幅が大きい（図２参照）。このため、伝送速度（スループット）を向上させるためには、ユーザ端末ＵＥは、スモールセルＳＣにおいて通信を行うことが好ましい。
【００２９】
しかしながら、ユーザ端末ＵＥは、上述のセル選択において、キャリアＦ２を用いて送信される信号の送信帯域幅を考慮しない。このため、伝送速度（スループット）の観点からスモールセルＳＣと通信を行うことが好ましい場合であっても、参照信号の受信品質に基づいてマクロセルＭＣを選択してしまい、スモールセルＳＣを選択できないことが想定される。
【００３０】
このように、キャリアＦ２が用いられるスモールセルＳＣでは、ビームフォーミングゲインや送信帯域幅などの種々の送信特性において、キャリアＦ１が用いられるマクロセルＭＣとは異なる。しかしながら、ユーザ端末ＵＥは、キャリアＦ２を用いた送信特性を考慮せずにセル選択を行うため、スモールセルＳＣを選択することができず、マクロセルＭＣからスモールセルＳＣへのオフロードを実現できないことが想定される。
【００３１】
そこで、本発明者らは、マクロセルＭＣとスモールセルＳＣとが重複して配置される無線通信システムにおいて、スモールセルＳＣにおける種々の送信特性（例えば、ビームフォーミングゲインを算出可能な送信アンテナ素子数、ビームフォーミングゲイン、送信帯域幅など）を考慮したセル選択を可能とすることで、ユーザ端末ＵＥにスモールセルＳＣを積極的に選択させるという着想を得て、本発明に至った。
【００３２】
以下、本発明に係るセル選択方法を説明する。なお、本発明に係るセル選択方法は、第１キャリアが用いられるマクロセルＭＣ（第１セル）と第１キャリアよりも周波数帯の高い第２キャリアが用いられるスモールセルＳＣ（第２セル）とが重複して配置される無線通信システムで用いられる。なお、マクロセルＭＣは、マクロ基地局Ｍ（第１無線基地局）によって形成され、スモールセルＳＣは、スモール基地局Ｓ（第２無線基地局）によって形成される。
【００３３】
以下では、第１キャリアとして上述のキャリアＦ１が用いられ、第２キャリアとして上述のキャリアＦ２が用いられる場合（図２参照）を説明するが、これに限られない。本発明に係るセル選択方法では、第２キャリアの周波数が第１キャリアよりも高ければ、どのような周波数帯のキャリアであってもよい。
【００３４】
（第１態様）
図７及び図８を参照し、本発明の第１態様に係るセル選択方法を説明する。第１態様では、マクロ基地局Ｍが、スモールセルＳＣにおけるキャリアＦ２を用いた送信特性情報に基づいて、ユーザ端末ＵＥにおけるセル選択に用いられるオフセット値を決定し、ユーザ端末ＵＥに対して決定されたオフセット値を通知する。また、第１態様では、ユーザ端末ＵＥは、マクロ基地局Ｍ及びスモール基地局Ｓからの参照信号の受信品質を測定し、マクロ基地局Ｍから通知されるオフセット値を受信する。ユーザ端末ＵＥは、測定された受信品質と受信されたオフセット値とに基づいて、セル選択を行う。
【００３５】
ここで、キャリアＦ２を用いた送信特性情報とは、スモール基地局Ｓに設けられる送信アンテナ素子数と、スモール基地局Ｓで用いられる送信帯域幅と、スモール基地局Ｓで用いられる送信ビームのビームフォーミングゲインと、の少なくとも一つを含む。
【００３６】
図７は、本発明の第１態様に係るセル選択方法を示すシーケンス図である。図７に示すように、マクロ基地局Ｍは、スモールセルＳＣにおけるキャリアＦ２を用いた送信特性情報（上述の送信アンテナ素子数、送信帯域幅、ビームフォーミングゲインなど）に基づいて、ユーザ端末ＵＥにおけるセル選択に用いられるオフセット値を決定する（ステップＳ１０１）。例えば、マクロ基地局Ｍは、上述の送信特性が良くなるに従って、オフセット値を増加させてもよい。
【００３７】
なお、上述の送信特性情報は、スモール基地局Ｓや上位制御装置などからマクロ基地局Ｍに通知されてもよいし、予めマクロ基地局Ｍに記憶されていてもよい。また、ビームフォーミングゲインは、スモール基地局Ｓに設けられる送信アンテナ素子数に基づいて算出されてもよい。
【００３８】
また、マクロ基地局Ｍは、上述の送信特性情報と、スモールセルＳＣの隣接セルからの干渉情報に基づいて、上記オフセット値を決定してもよい。スモールセルＳＣでは、ビームフォーミングゲインにより所望信号が増加するにつれて、隣接セルからの干渉が減少する。このため、マクロ基地局Ｍは、隣接セルからの干渉が減少するに従って、オフセット値を増加させてもよい。
【００３９】
マクロ基地局Ｍは、以上のように決定されたオフセット値をユーザ端末ＵＥに通知する（ステップＳ１０２）。なお、オフセット値は、ＲＲＣシグナリングなどの上位レイヤシグナリングにより通知されてもよいし、ユーザ端末ＵＥに対する報知情報や下り制御情報（ＤＣＩ）に含まれてもよい。
【００４０】
スモール基地局Ｓ及びマクロ基地局Ｍは、それぞれ、参照信号を送信する（ステップＳ１０３、Ｓ１０４）。ここで、参照信号としては、例えば、ＣＳＩ−ＲＳ（Channel  State  Information-Reference  Signal）やディスカバリー信号などが用いられてもよい。
【００４１】
ユーザ端末ＵＥは、スモール基地局Ｓ及びマクロ基地局Ｍからの参照信号の受信品質を測定する（ステップＳ１０５）。ここで、受信品質としては、例えば、ＲＳＲＱ（Reference  Signal  Received  Quality）、ＲＳＲＰ（Reference  Signal  Received  Power）、これらの組み合わせなどが用いられてもよい。
【００４２】
ユーザ端末ＵＥは、スモール基地局Ｓからの参照信号の受信品質に対して、マクロ基地局Ｍから通知されるオフセット値を付加する（ステップＳ１０６）。なお、ユーザ端末ＵＥは、マクロ基地局Ｍからの参照信号の受信品質に対しては、オフセット値を付加しない。ユーザ端末ＵＥは、オフセット値が付加された受信品質に基づいて、セル選択を行う（ステップＳ１０７）。
【００４３】
図８を参照し、図７のステップＳ１０７におけるセル選択動作を詳述する。図８は、ユーザ端末ＵＥにおけるセル選択動作を示すフローチャートである。図８に示すように、ユーザ端末ＵＥは、スモール基地局Ｓからの参照信号の受信品質のうち、最良の受信品質が所定の閾値を満たすか否かを判定する（ステップＳ２０１）。なお、上述のように、スモール基地局Ｓからの参照信号の受信品質には、マクロ基地局Ｍから通知されるオフセット値が付加される。
【００４４】
上記最良の受信品質が所定の閾値を満たす場合（ステップＳ２０１；Ｙｅｓ）、ユーザ端末ＵＥは、スモール基地局Ｓからの参照信号の受信品質を比較し、比較結果に基づいて、スモールセルＳＣ（スモール基地局Ｓ）を選択する（ステップＳ２０２）。例えば、ユーザ端末ＵＥは、最良の受信品質を有するスモールセルＳＣ（スモール基地局Ｓ）を選択してもよい。
【００４５】
一方、上記最良の受信品質が所定の閾値を満たさない場合（ステップＳ２０１；Ｎｏ）、ユーザ端末ＵＥは、スモール基地局Ｓからの参照信号の受信品質とマクロ基地局Ｍからの参照信号の受信品質とを比較し、比較結果に基づいて、スモールセルＳＣ（スモール基地局Ｓ）又はマクロセルＭＣ（マクロ基地局Ｍ）を選択する（ステップＳ２０３）。例えば、ユーザ端末ＵＥは、最良の受信品質を有するスモールセルＳＣ（スモール基地局Ｓ）又はマクロセルＭＣ（マクロ基地局Ｍ）を選択してもよい。
【００４６】
以上、第１態様に係るセル選択方法によれば、スモールセルＳＣにおけるキャリアＦ２を用いた送信特性情報（上述の送信アンテナ素子数、送信帯域幅、ビームフォーミングゲインなど）に基づいて決定されるオフセット値に基づいて、ユーザ端末ＵＥにおけるセル選択が行なわれるので、スモールセルＳＣを積極的に選択させることができる。
【００４７】
より具体的には、第１態様に係るセル選択方法によれば、マクロ基地局Ｍから通知されるオフセット値がスモール基地局Ｓからの参照信号の受信品質に対して付加されるため、ユーザ端末ＵＥは、オフセット値が付加された受信品質に基づいてスモールセルＳＣを積極的に選択することができ、マクロセルＭＣからスモールセルＳＣへのオフロードを実現できる。
【００４８】
（第２態様）
図９及び図１０を参照し、本発明の第２態様に係るセル選択方法を説明する。第２態様では、ユーザ端末ＵＥにおいてマクロ基地局Ｍから通知されるオフセット値に基づいてセル選択を行う代わりに、スモールセルＳＣにおけるキャリアＦ２を用いた送信特性情報に基づいてスモール基地局Ｓからの参照信号の送信電力を増加させる。以下では、第１態様に係るセル選択方法との相違点を中心に説明を行う。
【００４９】
図９は、スモール基地局Ｓから送信される参照信号の説明図である。図９に示すように、スモールセルＳＣでは、所定周期で、参照信号が送信される。なお、所定周期は、例えば、数秒程度の比較的長い周期であってもよいが、これに限られない。また、参照信号としては、例えば、ＣＳＩ−ＲＳや新規に規定するスモールセルディスカバリー信号などが用いられるが、これに限られない。
【００５０】
図９において、データ送信期間では、ビームフォーミングが行なわれる。これにより、データ送信期間で送信されるデータについてはビームフォーミングゲインを得ることができる。なお、データ送信期間で送信されるデータは、ユーザデータだけでなく、制御情報を含んでもよい。
【００５１】
一方、参照信号送信期間では、ビームフォーミングを行うことができない。参照信号送信期間では、ＣＳＩ（Channel  State  Information）などのフィードバック情報を取得できず、複数のアンテナ素子に対する重み付けに用いられるＡＯＡ（Angle  of  Arrival）やＡＯＤ（Angle  of  departure）が未知であるためである。このため、参照信号については、ビームフォーミングゲインを得ることができない。
【００５２】
そこで、第２態様において、参照信号送信期間では、データ送信期間で得られるビームフォーミングゲインに従って、データ送信期間における送信電力（送信電力密度）よりも増加させた送信電力で、参照信号を送信する。
【００５３】
また、上述のように、キャリアＦ２が用いられるスモールセルＳＣでは、キャリアＦ１が用いられるマクロセルＭＣと比較して、信号の送信帯域幅が大きい（図２参照）。このため、第２態様では、参照信号送信期間では、キャリアＦ１に対するキャリアＦ２の送信帯域幅の増加量に従って増加させた送信電力で、参照信号を送信する。なお、スモールセルＳＣにおける参照信号の増幅量はマクロセルＭＣがスモールセルＳＣに対して通知してもよい。
【００５４】
このように、第２態様では、スモール基地局Ｓが、キャリアＦ２を用いた送信特性情報（例えば、上述のビームフォーミングゲイン、送信帯域幅、送信アンテナ素子数）に基づいて、参照信号の送信電力を決定し、決定された送信電力で参照信号を送信する。これにより、ユーザ端末ＵＥは、参照信号を十分な受信品質で受信することができるので、スモール基地局Ｓからの参照信号の受信品質に対してオフセット値を付加せずとも、スモールセルＳＣを積極的に選択させることができる。
【００５５】
図１０は、本発明の第２態様に係るセル選択方法を示すシーケンス図である。図１０に示すように、スモール基地局Ｓは、キャリアＦ２を用いた送信特性情報（上述のビームフォーミングゲイン、送信帯域幅、送信アンテナ素子数など）に基づいて、参照信号の送信電力を決定する（ステップＳ３０１）。
【００５６】
例えば、スモール基地局Ｓは、データ送信期間（図９参照）で用いられる送信ビームのビームフォーミングゲインと送信帯域幅との少なくとも一つに比例して、参照信号の送信電力を増加させてもよい。なお、ビームフォーミングゲインは、スモール基地局Ｓに設けられる送信アンテナ素子数に基づいて算出されてもよい。
【００５７】
また、スモール基地局Ｓは、上述の送信特性情報と、スモールセルＳＣの隣接セルからの干渉情報に基づいて、参照信号の送信電力を決定してもよい。スモールセルＳＣでは、ビームフォーミングゲインにより所望信号が増加するにつれて、隣接セルからの干渉が減少する。このため、隣接セルからの干渉の減少を考慮して、参照信号の送信電力を減少させてもよい。
【００５８】
スモール基地局Ｓは、以上のように決定された送信電力で参照信号を送信する（ステップＳ３０２）。一方、マクロ基地局Ｍも、参照信号を送信する（ステップＳ３０３）。
【００５９】
ユーザ端末ＵＥは、スモール基地局Ｓ及びマクロ基地局Ｍからの参照信号の受信品質を測定する（ステップＳ３０４）。ここで、受信品質としては、例えば、ＲＳＲＱ、ＲＳＲＰ、これらの組み合わせなどが用いられてもよい。
【００６０】
ユーザ端末ＵＥは、ステップＳ３０４で測定された受信品質に基づいて、セル選択を行う（ステップＳ３０５）。具体的には、ユーザ端末ＵＥは、第１態様で説明したオフセット値を用いずに、セル選択を行う。また、ステップＳ３０５においても、図８と同様の判定を用いて、セル選択が行なわれてもよい。図８の判定を用いる場合、第１態様とは異なり、スモール基地局Ｓからの参照信号の受信品質にオフセット値は付加されない。
【００６１】
以上、第２態様に係るセル選択方法によれば、ユーザ端末ＵＥにおけるセル選択に用いられる参照信号が、キャリアＦ２を用いた送信特性情報に基づいて決定された送信電力で送信される。これにより、ユーザ端末ＵＥは、参照信号を十分な受信品質で受信することができるので、スモール基地局Ｓからの参照信号の受信品質に対してオフセット値を付加せずとも、スモールセルＳＣを積極的に選択させることができる。この結果、マクロセルＭＣからスモールセルＳＣへのオフロードを実現できる。
【００６２】
なお、図１０では、スモール基地局Ｓからの参照信号の送信電力は、スモール基地局Ｓで決定されるが、これに限られない。マクロ基地局Ｍが、スモールセルＳＣにおけるキャリアＦ２を用いた送信特性情報に基づいて、スモール基地局Ｓからの参照信号の送信電力を決定してもよい。かかる場合、マクロ基地局Ｍは、決定した送信電力をスモール基地局Ｓに通知し、スモール基地局Ｓは、通知された送信電力で参照信号を送信してもよい。
【００６３】
以上のように、第２態様に係るセル選択方法は、キャリアＦ１（第１キャリア）が用いられるマクロセルＭＣ（第１セル）とキャリアＦ１よりも高い周波数帯のキャリアＦ２（第２キャリア）が用いられるスモールセルＳＣ（第２セル）とが重複して配置される無線通信システムにおけるセル選択方法であって、スモールセルＳＣを形成するスモール基地局Ｓ（第２無線基地局）において、スモールセルＳＣにおけるキャリアＦ２を用いた送信特性情報に基づいて決定される送信電力で、参照信号を送信する工程を有し、ユーザ端末ＵＥにおいて、スモール基地局Ｓからの前記参照信号とマクロセルＭＣを形成するマクロ基地局Ｍ（第１無線基地局）からの参照信号との受信品質を測定する工程と、測定された前記受信品質に基づいて、セル選択を行う工程と、を有する。
【００６４】
（無線通信システムの構成）
以下、本実施の形態に係る無線通信システムの構成について説明する。この無線通信システムでは、上述のセル選択方法（第１態様、第２態様を含む）が適用される。図１１−図１６を参照し、本実施の形態に係る無線通信システムの概略構成を説明する。
【００６５】
図１１は、本実施の形態に係る無線通信システムの概略構成図である。なお、図１１に示す無線通信システムは、例えば、ＬＴＥシステム、ＬＴＥ−Ａシステム、ＩＭＴ−Ａｄｖａｎｃｅｄ、４Ｇ、ＦＲＡ（Future  Radio  Access）などが包含されるシステムである。
【００６６】
図１１に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。また、マクロセルＣ１及び各スモールセルＣ２には、ユーザ端末２０が配置されている。ユーザ端末２０は、マクロ基地局１１及びスモール基地局１２の双方と無線通信可能に構成されている。
【００６７】
マクロセルＣ１では、例えば、８００ＭＨｚや２ＧＨｚなど、相対的に低い周波数帯のキャリアＦ１が用いられる。一方、スモールセルＣ２では、例えば、３．５ＧＨｚ、１０ＧＨｚなど、相対的に高い周波数帯のキャリアＦ２が用いられる。なお、キャリアＦ１は、既存キャリア、レガシーキャリア、カバレッジキャリアなどと呼ばれてもよい。また、キャリアＦ２は、追加（additional）キャリア、キャパシティキャリアなどと呼ばれてもよい。
【００６８】
マクロ基地局１１及び各スモール基地局１２は、有線接続されてもよいし、無線接続されてもよい。マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００６９】
なお、マクロ基地局１１は、相対的に広いカバレッジを有する無線基地局であり、ｅＮｏｄｅＢ、無線基地局装置、送信ポイントなどと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢなどと呼ばれてもよい。
【００７０】
また、スモール基地局１２によって形成されるスモールセルＣ２は、サブフレームの先頭最大３ＯＦＤＭシンボルにＰＤＣＣＨが配置されるタイプのセルであってもよいし、当該ＰＤＣＣＨが配置されないタイプ（新キャリアタイプ、追加キャリアタイプ）のセル（ファントムセル）であってもよい。
【００７１】
以下、マクロ基地局１１及びスモール基地局１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００７２】
無線通信システム１においては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７３】
ここで、図１１に示す無線通信システムで用いられる通信チャネルについて説明する。下りリンクの通信チャネルは、各ユーザ端末２０で共有されるＰＤＳＣＨ（下り共有データチャネル）と、下りＬ１／Ｌ２制御チャネル（ＰＤＣＣＨ、ＰＣＦＩＣＨ、ＰＨＩＣＨ、ＥＰＤＣＣＨ）とを有する。ＰＤＳＣＨにより、ユーザデータ及び上位レイヤ制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。また、ＥＰＤＣＣＨにより、ＰＤＳＣＨ及びＰＵＳＣＨのスケジューリング情報等が伝送されてもよい。このＥＰＤＣＣＨ（拡張下り制御チャネル）は、ＰＤＳＣＨと周波数分割多重される。
【００７４】
上りリンクの通信チャネルは、各ユーザ端末２０で共有されるＰＵＳＣＨ（上り共有データチャネル）と、上りリンクの制御チャネルであるＰＵＣＣＨ（Physical  Uplink  Control  Channel）とを有する。このＰＵＳＣＨにより、ユーザデータや上位レイヤ制御情報が伝送される。また、ＰＵＣＣＨにより、下りリンクの無線品質情報（CQI：Channel  Quality  Indicator）、ＡＣＫ/ＮＡＣＫ等が伝送される。
【００７５】
図１２は、本実施の形態に係る無線基地局１０（マクロ基地局１１及びスモール基地局１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００７６】
下りリンクにより無線基地局１０からユーザ端末２０に送信されるユーザデータは、上位局装置３０から伝送路インターフェース１０６を介してベースバンド信号処理部１０４に入力される。
【００７７】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００７８】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【００７９】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８０】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００８１】
図１３は、本実施の形態に係るユーザ端末２０の全体構成図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５とを備えている。
【００８２】
下り信号については、複数の送受信アンテナ２０１で受信された無線周波数信号がそれぞれアンプ部２０２で増幅され、送受信部２０３で周波数変換され、ベースバンド信号処理部２０４に入力される。ベースバンド信号処理部２０４では、ＦＦＴ処理や、誤り訂正復号、再送制御の受信処理等がなされる。この下り信号に含まれるユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００８３】
一方、上りリンクのユーザデータについては、アプリケーション部２０５からベースバンド信号処理部２０４に入力される。ベースバンド信号処理部２０４では、再送制御（Ｈ−ＡＲＱ（Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００８４】
次に、図１４−図１６を参照し、マクロ基地局１１、スモール基地局１２、ユーザ端末２０の機能構成について詳述する。
【００８５】
図１４は、本実施の形態に係るマクロ基地局１１の機能構成図である。なお、以下の機能構成は、マクロ基地局１１が有するベースバンド信号処理部１０４などによって構成される。図１４に示すように、マクロ基地局１１は、参照信号生成部１１１、オフセット値決定部１１２、制御情報生成部１１３を具備する。
【００８６】
なお、オフセット値決定部１１２は、本発明の決定部（第１態様）を構成する。オフセット値決定部１１２は、本発明の第２態様においては省略されてもよい。また、制御情報生成部１１３及び送受信部１０３は、本発明の通知部（第１態様）を構成する。
【００８７】
参照信号生成部１１１は、参照信号を生成して送受信部１０３に出力する。参照信号としては、例えば、ＣＲＳ（Cell-specific  Reference  Signal）、ＣＳＩ−ＲＳ（Channel  State  Information-Reference  Signal）、ＤＭ−ＲＳ（DeModulation-Reference  Signal）などが挙げられる。送受信部１０３に出力された参照信号は、キャリアＦ１を用いて送信される。
【００８８】
オフセット値決定部１１２は、ユーザ端末２０におけるセル選択に用いられるオフセット値を決定して制御情報生成部１１３に出力する。具体的には、オフセット値決定部１１２は、スモールセルＣ２におけるキャリアＦ２を用いた送信特性情報に基づいて、上記オフセット値を決定する。例えば、オフセット値決定部１１２は、キャリアＦ２を用いた送信特性が良くなるに従って、オフセット値を増加させてもよい。
【００８９】
なお、キャリアＦ２を用いた送信特性情報とは、スモール基地局１２に設けられる送信アンテナ素子数と、スモール基地局１２で用いられる送信帯域幅と、スモール基地局１２で用いられる送信ビームのビームフォーミングゲインと、の少なくとも一つを含む。なお、送信アンテナ素子数は、スモール基地局１２の送受信アンテナ１０１の送信アンテナ素子数であってもよい。また、ビームフォーミングゲインは、送信アンテナ素子数に基づいて算出されてもよい。
【００９０】
また、オフセット値決定部１１２は、キャリアＦ２を用いた送信特性情報と、スモールセルＣ２の隣接セルからの干渉情報に基づいて、上記オフセット値を決定してもよい。例えば、オフセット値決定部１１２は、隣接セルからの干渉が減少するに従って、オフセット値を増加させてもよい。
【００９１】
制御情報生成部１１３は、制御情報を生成して送受信部１０３に出力する。具体的には、制御情報生成部１１３は、オフセット値決定部１１２から入力されたオフセット値を含む制御情報を生成する。オフセット値を含む制御情報は、上位レイヤシグナリングにより、ユーザ端末２０に送信される。なお、オフセット値を含む制御情報は、報知チャネル（ＢＣＨ）や、下り制御チャネル（ＰＤＣＣＨ、ＥＰＤＣＣＨ）を介して、ユーザ端末２０に送信されてもよい。
【００９２】
図１５は、本実施の形態に係るスモール基地局１２の機能構成図である。なお、以下の機能構成は、スモール基地局１２が有するベースバンド信号処理部１０４などによって構成される。図１５に示すように、スモール基地局１２は、データ生成部１２１、参照信号生成部１２２、送信電力決定部１２３を具備する。
【００９３】
なお、本発明の第１態様において、送信電力決定部１２３は、省略されてもよい。本発明の第２態様において、送信電力決定部１２３は、スモールセルＳＣにおけるキャリアＦ２を用いた送信特性情報に基づいて、参照信号の送信電力を決定する決定部を構成する。
【００９４】
データ生成部１２１は、ユーザ端末２０に向けた送信ビームで送信されるデータを生成して送受信部１０３に出力する。当該データには、ユーザデータだけでなく、制御情報が含まれてもよい。送受信部１０３に出力されたデータは、データ送信期間（図９）において、キャリアＦ２を用いて送信される。
【００９５】
また、データ生成部１２１は、ユーザ端末２０からのフィードバック情報（例えば、ＣＳＩなど）に基づいて、ビーム形成情報が生成して送受信部１０３に出力する。当該ビーム形成情報には、例えば、送信アンテナ素子の重み付けに用いられるＡＯＡ（Angle  of  Arrival）やＡＯＤ（Angle  of  departure）などが含まれる。データ送信期間（図９）では、当該形成情報に基づいて形成される送信ビームが用いられる。
【００９６】
参照信号生成部１２２は、参照信号を生成して送受信部１０３に出力する。参照信号としては、例えば、ＣＳＩ−ＲＳ、ＤＭ−ＲＳ、ディスカバリー信号などが挙げられる。送受信部１０３に出力された参照信号は、参照信号送信期間（図９）において、キャリアＦ２を用いて送信される。
【００９７】
送信電力決定部１２３は、スモールセルＣ２におけるキャリアＦ２の送信特性情報に基づいて、参照信号の送信電力を決定する。また、送信電力決定部１２３は、決定された送信電力を示す送信電力情報を参照信号生成部１２２に出力し、決定された送信電力で参照信号を送信させる。例えば、送信電力決定部１２３は、キャリアＦ２を用いた送信特性が良くなるに従って、参照信号の送信電力を増加させてもよい。
【００９８】
なお、上述のように、キャリアＦ２を用いた送信特性情報は、スモール基地局１２に設けられる送信アンテナ素子数と、スモール基地局１２で用いられる送信帯域幅と、スモール基地局１２で用いられる送信ビームのビームフォーミングゲインと、の少なくとも一つを含む。また、ビームフォーミングゲインは、送信アンテナ素子数や、データ生成部１２１において生成されるビーム形成情報（例えば、ＡＯＡやＡＯＤなど）などに基づいて、算出されてもよい。
【００９９】
図１６は、本実施の形態に係るユーザ端末２０の機能構成図である。なお、以下の機能構成は、ユーザ端末２０が有するベースバンド信号処理部２０４などによって構成される。図１６に示すように、ユーザ端末２０は、測定部２１１、セル選択部２１２を具備する。
【０１００】
測定部２１１は、マクロ基地局１１及びスモール基地局１２からの参照信号の受信品質を測定する。上述のように、受信品質は、ＲＳＲＱ、ＲＳＲＰ、これらの組み合わせなどであってもよい。
【０１０１】
セル選択部２１２は、測定部２１１によって測定された受信品質に基づいて、セル選択を行う。本発明の第１態様において、セル選択部２１２は、マクロ基地局１１から通知されるオフセット値を、送受信部２０３などを介して受信する。セル選択部２１２は、マクロ基地局１１から通知されたオフセット値と、測定部２１１によって測定された受信品質とに基づいて、セル選択を行う。
【０１０２】
具体的には、本発明の第１態様において、セル選択部２１２は、スモール基地局１２からの参照信号の受信品質に対して、上記オフセット値を付加する。セル選択部２１２は、オフセット値が付加された受信品質に基づいて、セル選択を行う。なお、当該セル選択の詳細については、図８で説明した通りであるため、説明を省略する。
【０１０３】
一方、本発明の第２態様において、セル選択部２１２は、上記オフセット値を用いずに、セル選択を行う。上述のように、第２態様では、キャリアＦ２を用いた送信特性（例えば、ビームフォーミングゲイン、送信帯域幅）に比例して増加した送信電力で、参照信号が送信される。これにより、ユーザ端末ＵＥは、参照信号を十分な受信品質で受信することができるので、スモール基地局１２からの参照信号の受信品質に対してオフセット値を付加せずとも、スモールセルＣ２を積極的に選択させることができる。
【０１０４】
以上のように、本実施の形態に係る無線通信システム１によれば、ユーザ端末２０がセル選択を行う場合に、スモールセルＣ２におけるキャリアＦ２を用いた送信特性情報（上述の送信アンテナ素子数、送信帯域幅、ビームフォーミングゲインなど）に基づいて決定されるオフセット値が、スモール基地局１２からの参照信号の受信品質に対して付加される。したがって、ユーザ端末２０は、オフセット値が付加された受信品質に基づいてスモールセルＣ２を積極的に選択することができ、マクロセルＣ１からスモールセルＣ２へのオフロードを実現できる。
【０１０５】
また、本実施の形態に係る無線通信システム１によれば、ユーザ端末２０におけるセル選択に用いられる参照信号が、キャリアＦ２を用いた送信特性情報に基づいて決定された送信電力で送信される。これにより、ユーザ端末２０は、参照信号を十分な受信品質で受信することができるので、スモール基地局１２からの参照信号の受信品質に対してオフセット値を付加せずとも、スモールセルＣ２を積極的に選択させることができる。この結果、マクロセルＣ１からスモールセルＣ２へのオフロードを実現できる。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０７】
１…無線通信システム
１０…無線基地局
１１…マクロ基地局
１２、１２ａ、１２ｂ…スモール基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
１１１…参照信号生成部
１１２…オフセット値決定部
１１３…制御情報生成部
１２１…データ生成部
１２２…参照信号生成部
１２３…送信電力決定部
２１１…測定部
２１２…セル選択部
【図１】
2014155093.tif 000003
【図２】
2014155093.tif 000004
【図３】
2014155093.tif 000005
【図４】
2014155093.tif 000006
【図５】
2014155093.tif 000007
【図６】
2014155093.tif 000008
【図７】
2014155093.tif 000009
【図８】
2014155093.tif 000010
【図９】
2014155093.tif 000011
【図１０】
2014155093.tif 000012
【図１１】
2014155093.tif 000013
【図１２】
2014155093.tif 000014
【図１３】
2014155093.tif 000015
【図１４】
2014155093.tif 000016
【図１５】
2014155093.tif 000017
【図１６】
2014155093.tif 000018